(57)【特許請求の範囲】
【請求項１】
受信機と受信制御器とがパラレルインタフェースおよびＧＰ−ＩＢインタフェースで接続されている受信制御装置において、上記受信制御器は、接続する空中線の周波数範囲を自動的に識別し設定する機能を備え、
システム電源投入時に、空中線の接続の有無をチェックし、接続されている空中線があった場合には、その種類データを、上記受信制御器の記憶部にあらかじめ記憶された空中線の割り当て周波数テーブルから取り込む手段と、
受信制御器は空中線の種類を基にして、空中線の種類、周波数下限値、周波数上限値から構成されている上記空中線の割り当て周波数テーブルを検索し、未接続である場合もしくは上記テーブルに定義されていない種類であった場合には検索エラーとなり、未接続を定義するデータを設定する手段と、
上記受信制御器は検索エラーも含めた検索結果を基にして受信機への通知データを構築、送信する手段と、
上記受信機は受信したデータを基にして空中線の切り替えを要求し、上記受信制御器において検索エラーがあった場合にもいずれかの空中線への切替を行う手段と、
上記受信制御器は空中線の接続状態および種類を監視する手段を少なくとも備えたことを特徴とする受信制御装置。
【発明の詳細な説明】
【０００１】
【発明の属する技術分野】
本発明は広帯域にわたる入感信号の掃引（スキャン）を実施するために、空中線（アンテナ）の切替を受信機の機能として実施できる受信制御装置に関するものであり、また、本発明は受信機を運用する上での一般的機能であるスキャンを広帯域にわたり実施するために、空中線の切替をオペレータの操作だけではなく、受信機に自動的に空中線を選択させる機能を備えた空中線の切替制御装置に関するものであり、さらに、受信機に複数の空中線を接続する場合に、その空中線が個別に持っている周波数範囲を自動的に識別し選択することができる受信制御装置に関する。
【０００２】
【従来の技術】
従来の空中線切替装置の回路構成の一例を図２に示す。この従来の空中線切替装置では、主制御部からのリレー切替命令による動作は行わず、オペレータによるリレー切替命令のみの動作によって行っている。その操作手順を次に示し、動作概要を説明する。▲１▼空中線に割り当てられている周波数範囲を、オペレータは別途記憶しておく。▲２▼その情報に基づき、受信動作を実施しようとする周波数に割り当てられている空中線を選択し、オペレータが空中線切替用リレーに切替命令を出し、リレー切替を実施する。▲３▼空中線からの入力を分配し、受信部に出力する。このような運用操作を行うため、受信機の一般的機能である掃引機能を広帯域にわたり実施することができないという問題があった。
【０００３】
また、従来の空中線切替装置の回路構成の一例を図８に示すごとく、制御回路からの切替命令による動作は行わず、オペレータによる切替命令のみの動作である。次に、その操作手順と動作概要を説明する。▲１▼空中線の割り当てられている周波数範囲をオペレータが別途記憶しておく。▲２▼そのデータに基づき、受信しようとしている周波数により空中線を選択し、オペレータが受信機のそれぞれに対して空中線を切り替える。▲３▼複数の受信機への接続は、４本の空中線に入力がそれぞれ分配される。このような運用を行うために、広帯域受信機の一般的機能である掃引（スキャン）機能を十分に発揮させることができないという問題があった。
【０００４】
また、従来の受信機と受信制御器との接続構成の一例を図９に示す。図において、受信機は受信制御器とパラレルインタフェースおよびＧＰ−ＩＢインタフェースで連接されている。この二つのインタフェースにより、データの送受信が行われている。受信制御器には複数本（この例では最大４本としている）の空中線が接続される。受信制御器は空中線の接続切替を行う。受信機はＣＨ（チャンネル）ごとの周波数データと、それぞれの空中線が持つ周波数データ範囲をメモリ内に記憶している（後者のデータについては、受信制御器から通知される）。
【０００５】
受信機は周波数の切り替えを行う際に、上記の二つのデータを比較する。同調対象の周波数が、現在接続されている空中線の範囲外である場合に、受信機は受信制御器に対して空中線の切り替え要求を行う。受信制御器は、この要求にしたがい空中線の切り替えを実施し、その完了通知を受信機に行う。
【０００６】
このシステムの受信制御器は、自機に接続している空中線の適応周波数範囲を設定し、受信機へ通知する必要がある。しかし、現在のシステムでは、このデータ入力をオペレータに実施させているので、空中線の接続状態が変わる度に、オペレータがデータの設定操作を行わねばならないという煩雑さがあり、オペレータが、空中線ごとの周波数データを受信制御部のパネル面からテンキー（０〜９までの数字を入力するためのキー）入力しなければならないという問題があった。
【０００７】
【発明が解決しようとする課題】
本発明の目的は、周波数帯域の異なる複数の空中線との接続が可能であり、受信可能な周波数帯域が広範囲にわたる広帯域受信機において、従来の空中線の選択をオペレータが行うという方式では、オペレータが空中線の割り当て周波数範囲を別途記憶しておく必要があり、受信機の機能である広帯域にわたる入感信号のスキャン（掃引）には不向きであるという問題点を解消し、空中線の切替を受信機の機能として自動的に実施させることにより、オペレータの作業効率の向上と、複数の受信機の運用効率の向上を図ることができる空中線切替部、受信部、主制御部および入力部を備えた受信制御装置を提供することにある。
【０００８】
また本発明の目的は、従来の受信機と受信制御器とがパラレルインタフェースおよびＧＰ−ＩＢインタフェースで連接され、複数本の空中線が接続されているシステムの空中線の接続または切替を行う場合に、受信制御器は空中線の適応周波数範囲を設定し受信機へ通知する必要があり、従来のシステムでは空中線の接続状態が変わる度に、オペレータが空中線ごとの周波数データを受信制御部のパネル面からテンキー入力しなければならないという煩雑な問題を解消するものであって、空中線の周波数範囲の自動識別および自動通知機能を付加した受信制御装置を提供することにある。
【０００９】
【課題を解決するための手段】
上記目的を達成するために、本発明は、受信機と受信制御器とがパラレルインタフェースおよびＧＰ−ＩＢインタフェースで接続されている受信制御装置において、上記受信制御器は、接続する空中線の周波数範囲を自動的に識別し設定する機能を備え、
システム電源投入時に、空中線の接続の有無をチェックし、接続されている空中線があった場合には、その種類データを、上記受信制御器の記憶部にあらかじめ記憶された空中線の割り当て周波数テーブルから取り込む手段と、
受信制御器は空中線の種類を基にして、空中線の種類、周波数下限値、周波数上限値から構成されている上記空中線の割り当て周波数テーブルを検索し、未接続である場合もしくは上記テーブルに定義されていない種類であった場合には検索エラーとなり、未接続を定義するデータを設定する手段と、
上記受信制御器は検索エラーも含めた検索結果を基にして受信機への通知データを構築、送信する手段と、
上記受信機は受信したデータを基にして空中線の切り替えを要求し、上記受信制御器において検索エラーがあった場合にもいずれかの空中線への切替を行う手段と、
上記受信制御器は空中線の接続状態および種類を監視する手段を少なくとも備えたことを特徴とする。
【００１３】
本発明は上記特許請求の範囲に記載のような構成とすることにより、受信機の機能である広帯域にわたる入感信号のスキャン（掃引）を実施することが可能となり、空中線の切替を受信機の機能として自動的に実施することができ、オペレータの作業効率の向上と、複数の受信機の運用効率の向上を図ることができる効果がある。
【００１４】
【発明の実施の形態】
〈参考例１〉
図１は、本発明の参考例１の受信制御装置の空中線切替部の構成を示す回路図であり、図３は、その受信制御装置の構成を示すブロック図であり、図４は、その受信制御装置の空中線切替処理のフローチャートを示す図である。
図５は、その受信制御装置の空中線接続状態確認処理のフローチャートを示す図であり、
図５において、
（注１）空中線接続情報を取り込み検査する。
（注２）空中線種類情報を取り込み検査する。
（注３）空中線種類情報が未定義であった場合、未接続データを設定し誤作動を防止する。
（注４）空中線の最大接続本数を変更する時には、この数値に＋１した値と比較することで対応する。
（注５）受信部へのデータ送信タイミングは次の二つのパターンがある。
(1)システム電源投入時に実施する。
(2)空中線の状態を常時監視し、状態に変化があった時に実施する。空中線の有無、正常かどうかなどの状態変化のチェックは「前回受信機に対して送信した周波数範囲データ」との比較をすることで実施する。
図６はその受信制御装置の主制御部の内部構成を示すブロック図である。
ここで、本参考例で用いる空中線の割り当て周波数テーブル（空中線適応周波数検索テーブル）を図１０の〔表〕に示す。なお、図１０の〔表〕において、未接続情報とは空中線が接続されていない場合、あるいは空中線が正常でない場合を示している。
【００１５】
図４に本参考例の空中線切替処理のフローチャートを示す（その受信制御装置を通常に動作させる場合は、動作１から開始する）。
※初期設定
(1)空中線の割り当て周波数を、主制御部のＲＯＭ内のテーブルに、あらかじめ格納しておく（図１０の〔表〕に示す空中線割り当て周波数テーブル参照）。
オペレータが入力部へ以下の情報を入力する。
（ａ）空中線が接続されている場合は、空中線の割り当て周波数情報を入力する。
（ｂ）空中線が接続されていない場合は、未接続情報を入力する。
※動作１（空中線接続状態確認処理、図５に示す空中線接続状態確認処理フローチャート参照）。
空中線の割り当て周波数テーブルに基づき、空中線の接続状態を検査する。
※動作２（空中線の変更または追加がある場合）。
(1)空中線の割り当て周波数を、主制御部のＲＯＭ内のテーブルに格納する（図１０の〔表〕に示す空中線割り当て周波数テーブル参照）。
オペレータが、入力部へ空中線割り当て周波数情報を入力する。
※空中線切替動作
(1)主制御部から受信部に、割り当て周波数テーブルの内容（データ）を出力する。  主制御部は、空中線の状態を監視していて、状態（空中線の有無および正常かどうか）情報を出力する。
(2)受信部から主制御部に、受信周波数を出力する。
オペレータが受信部に所望の受信周波数を入力する。
(3)主制御部から空中線切替部に、空中線切替用のリレー制御信号を出力する（図１に示す空中線切替部を参照）。
主制御部は、受け取った受信周波数と空中線割り当て周波数テーブルを参照する。
（ａ）受信周波数に適合した空中線がある場合は、空中線切替部に切替信号を出力する。
（ｂ）受信周波数に適合した空中線がない場合は、受信部にメッセージを送り、空中線の切替動作を行わない。
【００１６】
本参考例の受信制御装置の動作手順について以下に説明する。
〔動作手順１〕
(1)図１０の〔表〕に示す空中線適応周波数テーブル（空中線割り当て周波数テーブル）をＣＰＵの主制御部の記憶素子にあらかじめ記憶させておく（図５に示す空中線接続状態確認処理フローチャート参照）。
(2)主制御部は記憶素子に記憶している周波数範囲を受信部にデータ受け渡しを行う。
(3)受信部より選択空中線の指定が行われ、空中線切替部リレー制御が行われる（図１に示す空中線切替部の回路構成を参照）。
〔動作手順２〕
(1)空中線割り当て周波数範囲をオペレータが入力部より入力したデータを記憶素子が記憶する。
(2)、(3)は、上記〔動作手順１〕と同様な手順で行う。
【００１７】
〔補足説明〕
▲１▼空中線切替部および受信部を保護するために、主制御部ではいずれかの空中線を選択する。
▲２▼リレー保護として、接続しない場合は必ず終端する。
▲３▼ハイブリッド（図１に示す符号Ｈ）は、受信部へのＲＦ（高周波）信号分配用である。
【００１８】
本参考例の受信制御装置は、受信機の機能である広帯域にわたる入感信号のスキャン（掃引）を実施することが可能となり、空中線の切替を受信機の機能として自動的に実施することができ、オペレータの作業効率の向上と、複数の受信機の運用効率の向上をはかることができた。
〈参考例２〉
本発明の参考例２の空中線切替装置の回路構成を図７に示し、その切替動作の手順について、以下に説明する。
(1)空中線の割り当て周波数範囲を制御回路に入力する。
(2)制御回路で空中線の切替方式を「自動」と設定する。
(3)受信機が、割り当て周波数範囲を受取り、その数値を受信機の制御回路で保持する。
(4)受信機において、受信しようとする周波数と空中線の割り当て周波数範囲とを照らし合わせる。
(5)空中線切替回路に対して、空中線切替命令を出力する。
(6)空中線切替リレーが動作する。
ここで、従来方式である空中線の手動切替を行う場合には、上記(2)の過程で、空中線の切替方式を「手動」として制御回路に入力する。この時、掃引（スキャン）機能は実施できるが、スキャン中に動作が一時停止し、空中線の切替をその都度実施しなければならなくなる。
【００１９】
上記図７について説明を補足する。
▲１▼受信機は必ず空中線１〜４のいずれかの空中線と接続している。
▲２▼リレーを保護するため、受信機に接続しない場合は必ず終端する。
▲３▼前段に分配器を設けることにより、受信機１用・受信機２用と制御信号を分配している。
なお、図７は、分配器、切替リレーおよび終端器で構成される空中線切替回路を示し、図８は、従来の空中線切替回路を示す。
【００２０】
本参考例で示した、周波数帯の異なる複数の空中線との接続が可能な広帯域受信機において、空中線の自動切替が可能となり、広範囲にわたる掃引（スキャン）が可能となり、広帯域受信機の運用効率を向上させることができた。
〈実施の形態１〉
本実施の形態においては、受信機において、接続する空中線（アンテナ）の周波数範囲を自動的に識別し設定する機能を有する受信制御装置について説明する。  受信機に複数の空中線を接続する場合、その空中線が個別に持っている周波数範囲を受信機で認識する必要がある。この周波数範囲に基づいて、受信機は周波数の切替により空中線の切替処理を行うことができる。
【００２１】
本実施の形態では、受信機において接続し運用する空中線の周波数範囲を自動的に識別する方法について説明する。ここで、従来の受信機と受信制御器の接続関係を図９に示す。受信機６は受信制御器７と、パラレルインタフェース、およびＧＰ−ＩＢインタフェースで連接される。この二つのインタフェースによりデータの送受信が行われる。受信制御器７には複数本（本実施の形態では最大４本としている）の空中線が接続されている。受信制御器は、空中線の接続切り替えを行うものであり、このシステムの運用について、その概要を以下に述べる。
【００２２】
受信機はＣＨ（チャンネル）ごとの周波数データと、それぞれの空中線が持つ周波数データ範囲をメモリ内に記憶している（後者のデータに関しては、受信制御器から通知される）。受信機は周波数切り替えを行う際、上記の二つのデータを比較する。同調対象の周波数が接続されている空中線の範囲外である場合は、受信機は受信制御器に対して空中線の切り替え要求を行う。受信制御器は、この要求にしたがい空中線の切り替えを実施し、その完了通知を受信機に送る。このシステムにおいて、受信制御器は自機に接続している空中線の適応周波数範囲を設定し、受信機へ通知する必要がある。しかし、現在のシステムではこのデータ入力をオペレータに実施させているので、空中線の接続状態が変わる度に、オペレータが設定操作を行わねばならない。
【００２３】
従来は、オペレータが空中線ごとの周波数範囲データを受信制御部のパネル面からテンキー（０〜９までの数字を入力するためのキー）入力していた。本実施の形態では、この空中線ごとの周波数範囲データを受信制御部のパネル面からテンキー入力するという煩雑さを解消するために、空中線周波数範囲の自動識別および自動通知機能を付加した受信制御装置を提供するものであり、以下に、その二つの機能を付加した受信制御装置について、図５に示す空中線接続状態確認処理のフローチャートに基づいて説明する。
【００２４】
システム電源投入時に、受信制御器は接続されている空中線を検査する。まず、空中線の接続の有無をチェックする。接続されている空中線があった場合、その種類データをパラレルインタフェースのポートから取り込む。入力情報として、次の空中線接続情報と空中線種類情報があり、その接続の有無と種類をチェックする。
※空中線接続情報として、
▲１▼空中線（１）の接続の有／無
▲２▼空中線（２）の接続の有／無
▲３▼空中線（３）の接続の有／無
▲４▼空中線（４）の接続の有／無
※空中線種類情報として、
▲１▼空中線（１）の種類データ
▲２▼空中線（２）の種類データ
▲３▼空中線（３）の種類データ
▲４▼空中線（４）の種類データ
受信制御器は空中線の種類を基にして、ソフトウェアで定義している周波数範囲テーブルを検索する。周波数範囲テーブル（図１０の〔表〕に示す空中線割り当て周波数テーブル参照）は、空中線の種類、周波数下限値、周波数上限値により構成されている。未接続である場合、もしくはテーブルに定義されていない種類であった場合は検索エラーとなり、未接続を定義するデータが設定される。受信制御器は検索した結果を基にして、受信機への通知データを構築、送信する。受信機は受信したデータを基にして、空中線の切り替え要求を行う。なお、空中線の接続状態および種類の監視は、受信制御器で常時監視し、状態変化を検知した時は、通知データを受信制御器に送信する。
【００２５】
本実施の形態における空中線周波数範囲の自動識別および自動通知機能を付加した受信制御装置は、空中線自動識別によるオペレータの周波数範囲データの設定作業を削除することができ、従来の空中線ごとの周波数範囲データを受信制御部のパネル面からテンキー入力するという煩わしさを解消することができ、広帯域受信機の運用効率を向上させることができた。
【００２６】
【発明の効果】
本発明の受信制御装置によれば、主制御部からの制御信号によりリレー切替が自動で実施可能となり、周波数帯の異なる複数の空中線との接続、切替が自動的に行えるようになった。また、空中線割り当て周波数範囲のテーブルをあらかじめ入力しておくことにより、オペレータによる割り当て周波数の入力が不要となり、広帯域受信機における作業能率の向上と、運用効率の向上を図ることが可能である。
【図面の簡単な説明】
【図１】  本発明の参考例１の受信制御装置における空中線切替部の構成を示す回路図。
【図２】従来の受信制御器の構成を示す回路図。
【図３】  本発明の参考例１の受信制御装置の構成を示すブロック図。
【図４】  本発明の参考例１の受信制御装置における空中線切替処理のフローチャート。
【図５】  本発明の参考例１の受信制御装置における空中線接続状態確認処理のフローチャート。
【図６】  本発明の参考例１の受信制御装置の主制御部の内部構成を示すブロック図。
【図７】  本発明の参考例２の空中線切替装置の構成を示す回路図。
【図８】従来の空中線切替装置の構成を示す回路図。
【図９】従来の空中線切替装置の構成を示すブロック図。
【図１０】  本発明の参考例１の空中線割り当て周波数テーブルの〔表〕を示す図表。
【符号の説明】
１…分配器
２…コネクタ
３…リレー
４…抵抗
５…空中線（アンテナ）
６…受信機
７…受信制御器
【図１】
0004234296.tif 000002
【図２】
0004234296.tif 000003
【図３】
0004234296.tif 000004
【図４】
0004234296.tif 000005
【図５】
0004234296.tif 000006
【図６】
0004234296.tif 000007
【図７】
0004234296.tif 000008
【図８】
0004234296.tif 000009
【図９】
0004234296.tif 000010
【図１０】
0004234296.tif 000011